(57)【要約】【課題】  装置構成を複雑とすることなく、両眼バランス検査を精度良く行える検眼装置を提供すること。【解決手段】  左右の検眼窓に光学素子をそれぞれ切換え配置して被検眼の矯正屈折力を自覚的に検査する検眼装置本体と、ディスプレイの画面に各種の検査視標を表示する視標呈示装置と、該視標呈示装置の検査視標を選択する信号を入力するコントローラと、を備える検眼装置において、前記視標呈示装置は、前記コントローラから入力される両眼バランス検査の選択信号に基づいて横一列に並べた視力検査視標を持つ両眼バランス検査を表示する表示制御手段を備え、前記検眼装置本体は、両眼バランス検査の前記選択信号に基づき、基底方向が上下逆となる所定の同度数のプリズムを左右の検眼窓にそれぞれ配置する光学素子切換手段を備えること。【選択図】      図７
2007296101.tif 000002
【特許請求の範囲】
【請求項１】
左右の検眼窓に光学素子をそれぞれ切換え配置して被検眼の矯正屈折力を自覚的に検査する検眼装置本体と、ディスプレイの画面に各種の検査視標を表示する視標呈示装置と、該視標呈示装置の検査視標を選択する信号を入力するコントローラと、を備える検眼装置において、
前記視標呈示装置は、前記コントローラから入力される両眼バランス検査の選択信号に基づいて横一列に並べた視力検査視標を持つ両眼バランス検査を表示する表示制御手段を備え、
前記検眼装置本体は、両眼バランス検査の前記選択信号に基づき、基底方向が上下逆となる所定の同度数のプリズムを左右の検眼窓にそれぞれ配置する光学素子切換手段を備えることを特徴とする検眼装置。
【請求項２】
請求項１の表示制御手段は、前記視力検査視標の上位置及び下位置にて、且つ左右が同じ位置に、同一の融像刺激用の図形を持つ両眼バランス検査視標を表示することを特徴とする検眼装置。
【請求項３】
請求項１の検眼装置において、前記プリズムはプリズム度数が可変なロータリプリズムであり、前記コントローラは、左右の検査窓にそれぞれ配置された前記ロータリプリズムのプリズム度数を左右同時に増減させる信号を前記光学素子切換手段に入力する信号入力手段を備えることを特徴とする検眼装置。
【請求項４】
請求項３の検眼装置のおいて、前記信号入力手段は、左右の検査窓にそれぞれ配置された前記ロータリプリズムの上下方向のプリズム度数を左右同時に増減させる信号を前記光学素子切換手段に入力する上下プリズム切換信号入力手段と、前記ロータリプリズムの左右方向のプリズム度数を左右同時に増減させる信号を前記光学素子切換手段に入力する左右プリズム切換信号入力手段と、を備えることを特徴とする検眼装置。
【請求項５】
ディスプレイの画面に各種の検査視標を表示する視標呈示装置と、該視標呈示装置の検査視標を選択する信号を入力するコントローラと、を備える検眼装置において、
前記視標呈示装置は、前記コントローラから入力される両眼バランス検査の選択信号に基づいて横一列に並べた視力検査視標と、該視力検査視標の上位置及び下位置にて、且つ左右が同じ位置に、融像刺激用の同一の図形を持つ両眼バランス検査視標を表示する表示制御手段を備え、
基底方向が上下逆となる所定の同度数のプリズムを左右眼の眼前にそれぞれ配置して両眼バランス検査を行うことを特徴とする検眼装置。
【発明の詳細な説明】
【技術分野】
【０００１】
本発明は、ディスプレイの画面に各種の検査視標を表示する視標呈示装置を持つ検眼装置に関する。
【背景技術】
【０００２】
検眼システムにおける視標呈示装置としては、検査視標をスクリーンに投影するタイプの装置の他、液晶を用いたディスプレイタイプの装置が下記の特許文献１にて知られている。被検眼の矯正屈折力の両眼バランスを調整する両眼バランス検査の際、投影タイプの視標呈示装置においては、視力検査視標を横２段に並べて配置するともに、上段と下段の視標に互いに直交する偏光軸を持つ偏光フィルタを配置した検査視標を呈示する。被検者の右眼と左眼に、検査視標と対応した偏光フィルタをそれぞれ配置することにより、上段の視標と下段の視標を左右眼に別々に呈示することができる。
【０００３】
特許文献１の装置は、相前後して配置される２つの液晶表示装置と、互いに直交する偏光軸を持つ２つの偏光フィルタとを備える構成であり、従来の投影タイプの装置と同様な両眼バランス検査視標の呈示が可能である。
【特許文献１】特表平５−１３０９７５号公報
【発明の開示】
【発明が解決しようとする課題】
【０００４】
しかしながら、上記のような両眼バランス検査視標を呈示するために、特許文献１のように２つの液晶表示装置及び２つの偏光フィルタを配置する構成は、複雑であり、コスト高となる。また、装置も大型化する。
【０００５】
本発明は、上記従来装置に問題点に鑑み、装置構成を複雑とすることなく、両眼バランス検査を精度良く行える検眼装置を提供することを技術課題とする。
【課題を解決するための手段】
【０００６】
上記課題を解決するために、本発明は以下のような構成を備えることを特徴とする。
（１）  左右の検眼窓に光学素子をそれぞれ切換え配置して被検眼の矯正屈折力を自覚的に検査する検眼装置本体と、ディスプレイの画面に各種の検査視標を表示する視標呈示装置と、該視標呈示装置の検査視標を選択する信号を入力するコントローラと、を備える検眼装置において、
前記視標呈示装置は、前記コントローラから入力される両眼バランス検査の選択信号に基づいて横一列に並べた視力検査視標を持つ両眼バランス検査を表示する表示制御手段を備え、前記検眼装置本体は、両眼バランス検査の前記選択信号に基づき、基底方向が上下逆となる所定の同度数のプリズムを左右の検眼窓にそれぞれ配置する光学素子切換手段を備えることを特徴とする。
（２）  （１）の表示制御手段は、前記視力検査視標の上位置及び下位置にて、且つ左右が同じ位置に、同一の融像刺激用の図形を持つ両眼バランス検査視標を表示することを特徴とする。
（３）  （１）の検眼装置において、前記プリズムはプリズム度数が可変なロータリプリズムであり、前記コントローラは、左右の検査窓にそれぞれ配置された前記ロータリプリズムのプリズム度数を左右同時に増減させる信号を前記光学素子切換手段に入力する信号入力手段を備えることを特徴とする。
（４）  （３）の検眼装置のおいて、前記信号入力手段は、左右の検査窓にそれぞれ配置された前記ロータリプリズムの上下方向のプリズム度数を左右同時に増減させる信号を前記光学素子切換手段に入力する上下プリズム切換信号入力手段と、前記ロータリプリズムの左右方向のプリズム度数を左右同時に増減させる信号を前記光学素子切換手段に入力する左右プリズム切換信号入力手段と、を備えることを特徴とする検眼装置。
（５）  ディスプレイの画面に各種の検査視標を表示する視標呈示装置と、該視標呈示装置の検査視標を選択する信号を入力するコントローラと、を備える検眼装置において、
前記視標呈示装置は、前記コントローラから入力される両眼バランス検査の選択信号に基づいて横一列に並べた視力検査視標と、該視力検査視標の上位置及び下位置にて、且つ左右が同じ位置に、融像刺激用の同一の図形を持つ両眼バランス検査視標を表示する表示制御手段を備え、基底方向が上下逆となる所定の同度数のプリズムを左右眼の眼前にそれぞれ配置して両眼バランス検査を行うことを特徴とする。
【発明の効果】
【０００７】
本発明によれば、装置構成を複雑とすることなく、両眼バランス検査を精度良く行える。
【発明を実施するための最良の形態】
【０００８】
以下、本発明の実施の形態を図面に基づいて説明する。
図１は本実施形態の検眼システム１００の構成概要図である。１は被検者と検者の間に配置される検眼テ−ブル、６０は自覚的に被検眼の屈折力や視機能を検査する検眼装置本体であり、検眼装置本体６０は左右対称な一対のレンズ室ユニット６２と、この左右のレンズ室ユニット６２を吊下げ支持する支持ユニット６３を備える。左右のレンズ室ユニット６２の内部には、球面レンズや円柱レンズなど多数の光学素子を同一円周上に配置した回転ディスクが回転可能に設けられており、左右のレンズ室ユニット６２のそれぞれに設けられた検眼窓６１に光学素子が切換え配置される。支持ユニット６３は、被検者の瞳孔間距離に合わせて検眼窓６１の間隔を変える為に、左右のレンズ室ユニット６２の間隔を調整するスライド機構、及び左右のレンズ室ユニット６２の輻輳角を調整する輻輳機構を持つ。
【０００９】
７０は視標呈示装置であり、装置本体の筐体７１に視標を呈示するためのカラー液晶のディスプレイ（ＬＣＤ）７２が取り付けられた構成となっている。視標呈示装置７０はリレーユニット６と接続され、コントローラ５により操作される。７５は液晶ディスプレイ７２に表示される検査視標である。この視標７５はコントローラ５の操作によって切り替えられる。視標７５はディスプレイ７２の中央に表示される構成となっており、被検者がディスプレイ７２の中央から視線をずらすことなく視力検査ができる。筐体７１は全体に丸みを帯びた構造にしており、ディスプレイ７２付近等で、室内光による筐体７１の角部で光が反射する現象（エッジが立つ）が起こりにくいようにしている。視標呈示装置７０は壁に掛けられたり、スタンド等によって、検眼装置７０と同じ程度の高さに位置される。これら、検眼装置６０及び視標呈示装置７０により検眼システム１００が構成される。
【００１０】
図２は、左眼測定用のレンズ室ユニット６２を上側から見た部分断面図である。Ｌは測定光軸であり、Ｅは被検眼を示す。レンズ室ユニット６２のカバー２０内には、ディスク群１０、それぞれ開口及び複数の光学素子を備える６枚の回転ディスク１１〜１６が軸３０を回転中心にして配置されている。各ディスクの配置は、被検眼Ｅ側から近い順に強球面レンズディスク１１、弱球面レンズディスク１２、強円柱レンズディスク１３、弱円柱レンズディスク１４、第１補助レンズディスク１５、第２補助レンズディスク１６となっている。各ディスクの外周にはギヤが形成されており、それぞれモータ１８（１８ａ〜１８ｆ）により回転され、光軸Ｌに配置する光学素子の切換えが行われる。４０ａは検者側の検眼窓４に配置された保護ガラス、４０ｂは被検眼Ｅ側の検眼窓４′に配置された保護ガラスを示す。
【００１１】
ディスク１５は、第１群の補助レンズ１５０を保持するものである。開口以外の穴には、＋０．１２Ｄの球面レンズ、緑フィルタ／赤フィルタ、分散プリズム（６／１０△）、±０．５０Ｄのクロスシリンダレンズ、偏光板（１３５度と４５度）、＋０．１２Ｄ付き偏光板、マドックスレンズ、等が設けられている。なお、遮蔽部，ピンホールもディスク１５に設けられているが、これはディスク１５に一体成型により形成されている。
【００１２】
ディスク１６は、第２群の補助レンズ１６０を保持するものであり、開口以外の穴には、ロータリプリズム、±０．２５及び±０．５０のクロスシリンダレンズ、±０．２５Ｄのオートクロスシリンダレンズ、眼幅調整用のマークが付された素通しのレンズ、＋１０Ｄの球面レンズ、−１０Ｄの球面レンズ、等の補助レンズが配置されている。ロータリプリズム、クロスシリンダレンズは、光軸Ｌを中心にそれぞれ回転可能に設けられている。図中の第２群の補助レンズ１６０には、ロータリプリズムとして説明する。ロータリプリズム１６０は、同じ度数の２つのプリズム１６０ａ、１６０ｂから構成される。ロータリプリズム１６０は２つのプリズム１６０ａ、１６０ｂを相対的に回転させることで、プリズム度数と基底方向を連続的に変化させることができる補助レンズである。プリズム１６０ａ、１６０ｂはフレネル式のものにすれば、その厚みが抑えられ、有利である。
【００１３】
図３は、ディスク１３、１４に設けられた円柱レンズ１３０、１４０、及びディスク１６に設けられた第２補助レンズであるロータリプリズム１６０の回転機構を説明する図である。円柱レンズ１３０は歯車を持つホルダ１３１により、光軸Ｌを中心に回転可能にディスク１４に取り付けられている。同様に、円柱レンズ１４０は歯車が形成されたホルダ１４１により、光軸Ｌを中心に回転可能にディスク１４に取り付けられている。ホルダ１３１及び１４１の歯車は、軸３０を中心に回転する太陽歯車２００に噛み合っており、太陽歯車２００に連結した歯車２０１、リレー歯車２０２を介してモータ２０３の回転が円柱レンズ１３０及び１４０に同時に伝達される。
【００１４】
また、ロータリプリズム１６０も歯車が形成されたホルダ１６２により、光軸Ｌを中心に回転可能にディスク１６に取り付けられている。ホルダ１６２の歯車は、軸３０を中心に回転する太陽歯車１６３に噛み合っており、この太陽歯車の内側に一体的に形成された歯車がリレー歯車１６４を介してモータ１６５に連結している。なお、図３に示すようにロータリプリズム１６０をディスク１６に回転可能に取り付ける場合には、ディスク１６の反対側にも光軸Ｌを中心に回転可能なホルダを取り付け、そのホルダの歯車を太陽歯車１７３に噛み合わせる。太陽歯車１７３には歯車１７４が連結しており、この歯車１７４にリレー歯車１７５を介してモータ１７６の回転を伝達する。
【００１５】
次に、本実施形態のコントローラ５を説明する。図４はコントローラ５を上から見た図である。５０は視標や検査の設定等を表示するモニタである。スイッチパネル５５には、左右に回すことで数値の増減を行う光学素子の切換信号入力手段となるダイアル５６、球面度数Ｓ、乱視度数Ｃ、乱視軸角度Ａ、瞳孔間距離ＰＤ等のデータを変更するモードに切り換えるためのモードスイッチ５８、プログラム検眼用のスタートスイッチ５９等の操作スイッチが備えられる。５７は表示モードを設定変更するためのメニュースイッチである。５８ａは度数スイッチであり、球面度数Ｓ、乱視度数Ｃ、乱視軸角度Ａのいずれかを選択するモードに切り換えるためのスイッチである。
【００１６】
次に、モニタ５０の表示画面を説明する。図５は検眼時にモニタ５０に表示される表示画面を示す図である。ここでは、被検眼の左右眼の完全矯正度数を検眼した後に、両眼バランス検査を行う場合の表示画面を説明する。８０は検眼情報表示画面であり、現在、レンズ室ユニット６０に配置されている光学素子の情報や、他の装置から取得した被検者の屈折力情報が表示されている。画面８０の一部は、タッチパネルになっており、表示されたアイコンに触れることで、設定を変更したり、画面を切り換えることができる。８１は、視標呈示装置２０に呈示する視標を選択する（切り換える）ための視標チャート選択ボタンである。現在呈示されている視標チャートの情報は、チャートビュア８１ａに表示される。８２は、補助レンズの表示と切換をする補助レンズ選択ボタンである。これらのボタンは、タッチパネルにて操作できる構成となっている。８４は度数表示部で、光学素子の情報等が表示されている。ここに表示されている数値を変更して、光学素子の配置等を切り換える場合は、コントローラ５のモードスイッチ５８で項目を選択し、ダイアル５６等で数値を増減して行う。８５はメッセージウインドウで現在の検査に関する情報が表示される。８６はプリズム度数ウインドウであり、後述する両眼バランス検査において、両眼の補助レンズにロータリプリズム１６０が挿入された場合に表示され、ロータリプリズム１６０の度数を表示する。
【００１７】
図６は検眼システム１００の制御ブロック図を示す図である。リレーユニット６の制御部６ａに視標呈示装置７０の制御部７３、検眼装置６０の制御部６５、コントローラ５の制御部５１が接続されている。制御部７３はディスプレイ７２と接続され、コントローラ５からの制御信号によって、視標を切り換える。また、ディスプレイ７２に表示する視標の表示制御を行う。制御部６５はモータ１８と接続され、指令信号により、モータを駆動させる。モータ１８はディスク群１０と接続され、制御部６５の指定する光学素子を配置させる。制御部５１は、モニタ５０、スイッチ５５と接続され、モニタ５０、スイッチ５５からの制御信号（視標の切換えや光学素子の切換え等）を制御部６ａへと送る。制御部６ａは制御部５１の制御信号をそれぞれ制御部６５．７５へと分配する。
【００１８】
以上のような構成を備える検眼システムにおいて、偏光板を用いず、ロータリプリズム１６０を用いて両眼バランス検査を行う手順を説明する。先に説明した検眼装置６０及び視標呈示装置７０を操作し、被検眼の右眼、左眼のそれぞれの屈折度数（球面度数、乱視度数、乱視軸）を求め、左右眼それぞれの最高視力を求め、完全矯正値を得る。これらの検査については、説明を省略する。完全矯正値を得た後に、検査窓６１に被検眼の最高視力を得る球面レンズ、円柱レンズを配置した上で、両眼視機能検査を行う。
【００１９】
図７は、本実施形態の両眼バランス検査用視標を説明する図である。図７（ａ）は、ディスプレイ７２に表示された両眼バランス検査視標９０である。９１は白色（輝度値の高い）で構成された横長のスリットである。９２は黒色（低い輝度値）で構成された背景であり、ディスプレイ７２の全面にわたる。９３はスリット９１上に横一列に配置された視標群である。この視標群９３にはランドルト環やＥ字、数字、図形等が用いられる。本実施形態では、図示するように、視標９３ａ〜９３ｄと順番に視力値が大きいもの（視標のサイズとしては小さいもの）になっていく構成としている。９４は融像刺激となる図形である融像視標であり、スリット９２の上下に配置される。融像視標９４ａ、９４ｂ、９４ｃはそれぞれスリット９２を挟んで対となり、垂直方向（上下方向）では、同じ位置に配置される。また、融像視標９４ａ、９４ｂ、９４ｃは、スリット９２の水平方向の中心を基準とし、上下に等距離に配置される。対となる融像視標９４ａ、９４ｂ、９４ｃは、それぞれが同形状、同サイズ、同色の図形にて構成される。ここでは、融像視標９４ａが白抜きの四角、融像視標９４ｂが白抜きの丸、融像視標９４ｃが白抜きの三角の図形で表示される。なお、融像視標の図形は、多角形や星型等の印、文字等であってもよい。また、融像視標９４は白色に限らず、融像刺激なる視認し易いものであれば、白黒以外の色で表示されてもよい。
【００２０】
両眼バランス検査の開始の入力は、モニタ５０の視標チャート選択ボタン８１より行う。両眼バランス検査用視標９０は、モニタ５０で視標チャート選択ボタン８１から視標９０を示すボタン（アイコン）が選択されることで、ディスプレイ７２に表示される。視標９０の選択信号は、モニタ５０に送られ、モニタ５０の表示画面が図６に示したように切換る。モニタ５０では、視標９０の模式図（イラスト）がチャートビュア８１ａに表示され、補助レンズ８２にはロータリプリズム１６０を示すアイコンが表示される。メッセージウインドウ８５には、両眼バランス検査に関するメッセージが表示され、プリズム度数ウインドウには現在のロータリプリズム度数が表示される（ここでは、２△）。
【００２１】
また、この選択信号は制御部６ａを介して、制御部７３、制御部６５へと送られる。制御部７３は、ディスプレイに視標９０を表示させる。また、制御部６５は、モータ１８ｆを駆動し、ティスク１６を回転させて、検査窓６１の右眼、左眼にそれぞれ基底方向が上下逆となるロータリプリズム１６０を配置させる。
【００２２】
このとき、ロータリプリズムは右眼が２△ＢＤ（Base Down、基底下方）、左眼が２△ＢＵ（Base Up、基底上方）の度数にて配置される。ここでは、左右眼前に配置されたロータリプリズム１６０のプリズム度数（フレ量）を同じとする。これにより、検査窓６１を通して、視標を見る被検者には、右眼では本来の位置よりも上方にものが見え、左眼では本来の位置よりも下方に見えるようになる（図７（ｂ）、（ｃ）参照）。
【００２３】
図７（ｂ）で示されるように、２△ＢＤのロータリプリズム１６０によって、視標９０が点線で示される本来の位置よりも矢印Ｄ１の示す分だけ上方にフレているのが分かる。左眼の場合も同様に、矢印Ｄ２分だけ、視標９０が下方にフレて見える。この矢印Ｄ１、Ｄ２が、ロータリプリズム１６０によるフレ量２△を表している。
【００２４】
このようにして、被検者には、右眼（図７（ｂ））、左眼（図７（ｃ））で視標９０の見える位置が上下にずれて（分離して）見える。このため、被検者は、図７（ｄ）に示すように上下に見える視標９０を比較することができる。患者は、被検者が右眼で見た指標９０と左眼で見た視標９０がはっきり見えるか、ぼやけて見えるか等の申告に基づいて、被検者の両眼の視力値に適切な矯正度数を決める。
【００２５】
このとき、対となる融像視標９４ａ、９４ｂ、９４ｃが同一形状、同サイズ、同色であるため、被検者がそれぞれの融像視標９４ａ、９４ｂ、９４ｃにて融像し易くなる。被検者が図７（ｂ）の融像視標９４ｂの下方と、図７（ｃ）の融像視標９４ｂの上方と合せる（融像する）ことにより、上下に分離された視標９０が近づき、図７（ｄ）に示すように見え、比較がし易くなる。また、融像視標９４ａ、９４ｂ、９４ｃが上下同位置に配置されるため、図７（ｄ）のように、左右眼で比較する視標９０が上下にそろう。また、融像視標９４があることにより、斜位のある被検者でも両眼バランス検査がし易くなる。さらに、左右眼による視標の左右方向等の揺れが抑制される。
【００２６】
また、背景９２が黒色（低い輝度値）であるため、上下に分離された視標９０を比較する際の視覚的なノイズが少なくなる。さらに、視標９０を上下に分離するためのロータリプリズム１６０のプリズム度数（フレ量）が同じであるために、左右眼で見える視標９０の像が同じとなる。仮に、度数の異なるプリズムを用いると、度数による歪みや色あい等の違いから、左右眼で見える像が多少異なる。左右眼で視認される視標９０の像が同じであるならば、左右眼に挿入するロータリプリズム１６０の度数は同一でなくてもよい。
【００２７】
以上のようにして、偏光板を用いることなく、プリズム（ロータリプリズム１６０）によって両眼バランス検査を行うことができる。
【００２８】
本実施形態では、視標９０の上下への分離を度数２△のロータリプリズム１６０で行ったが、被検者によっては、視標９０が上下に分離されない場合や上下に大きく離れすぎてしまう場合がある。これらを補正するための方法を以下に説明する。
【００２９】
検査窓６１に配置したロータリプリズム１６０の度数を変更したい場合に、ダイアル５６を回転させることにより、左右眼のロータリプリズム１６０の度数だけが共に増減する構成とする。図６のプリズム度数ウインドウ８６に示すように、ダイアル５６の右回転はプリズム度数を下げ、左回転はプリズム度数を上げる。このダイアル５６の回転をトリガとした制御信号を、検眼装置６０の制御部６５が受ける。それに伴い、制御部６５が左右のディスク１６を制御するべく、モータ１８ｆを駆動する構成とすればよい。左右眼のロータリプリズム１６０を同度数とすることで、左右眼それぞれで視認する視標９０の歪みや色合いが同一となるため、両眼バランス検査の精度が向上する。
【００３０】
また、以上の説明では、視標９０を上下に分離し、その分離度合（フレ量）を調整する構成としたが、これに限るものではない。上下に分離された視標９０をそれぞれ左右方向にフレ量の調整をする構成としてもよい。図８は、ロータリプリズム１６０によるフレ量を上下左右に調整する画面の構成を説明する図である。３００は両眼バランス調整ウインドウである。３０１は画面中央に表示された両眼バランス検査用視標で、左右眼で見た場合を示すように、上下に視標９０が表示される。３１０は上下フレ量接近調整パネルであり、３２０は上下フレ量分離調整パネルである。これらのパネル３１０、３２０は前述のロータリプリズム１６０の上下分離量（フレ量）を調整する構成と同じ機能を果たす。パネル３１０、３２０のそれぞれの矢印の中央にあるボタン３１１、３２１を押すことで、前述のダイアル５６による視標９０の上下分離度の調整と同じことができる。「近づける」との表示があるボタン３１１を押すことで、左右のロータリプリズム１６０のプリズム度数が、同度数下がる。逆に、「話す」と表示されたボタン３２１を押すことで、左右のロータリプリズム１６０のプリズム度数が同度数下がる。この場合の指令信号のデコードは、ダイアル５６を用いた場合と同様である。
【００３１】
次に、左右方向のフレ量調節について説明する。３３０は外斜位補正用パネル、３４０は内斜位補正用パネルである。パネル３３０には、「上側を右へ」と表示されたボタン３３１があり、パネル３４０には、「下側を右へ」と表示されたボタン３４１がある。このボタン３３１、３４１の表示は、被検者が見ている視標９０の見え方を、検者が訊くことによって、斜位を補正する際のガイドとなる。例えば、被検者の見える視標９０（図７（ｄ）参照）であれば、被検者に斜位はない。しかし、視標９０の上側が下側よりも左にあれば、被検者には外斜位があることになり、逆に、視標９０の下側が上側よりも左にあれば、被検者には内斜位があることになる。
【００３２】
被検者の斜位に合わせて、ボタン３３１、３４１を押すことで、斜位の補正を行う。ここでは、内斜位がある場合を例に挙げて説明する。この場合、外斜位を補正する方向（内方基底：ＢＩ（Base In））に、左右の検査窓６１に配置されたロータリプリズム１６０を回転させる。このとき、左右のロータリプリズム１６０は上下の分離を維持したまま、左右眼に配置されたそれぞれのプリズム１６０ａ、ｂを回転させ、ＢＩ方向に０．５△のプリズム度数成分を加える。また、被検者に内斜位があるの場合は、ボタン３４１を押し、左右眼のロータリプリズム１６０に外方基底：ＢＯ（Base Out）成分のプリズム度数を加えればよい。このときの、上下方向ほプリズム度数及び左右方向のプリズム度数は、プリズム度数表示ウインドウ３５０に表示される。ウインドウ３５０には、左右眼における上下方向、左右方向のプリズム度数が表示される。また、左右方向のプリズム度数を見ることで、被検者が内斜位か外斜位かの傾向がわかる。
【００３３】
このような構成を備えるウインドウ３００は、表示画面８０の視標チャートビュア８１ａやメッセージウインドウ８５等の代わりに表示される構成とする。モニタ５０がタッチアパネルなっているため、各ボタン３１１、３２１、３３１、３４１がプリズム切換の信号入力手段となり、これらをタッチすることにより、指令信号が前述の場合と同様に検者の所望するロータリプリズム１６０を制御可能とする。
【００３４】
このようにして、ロータリプリズム１６０を用いて、視標９０の上下の分離を維持したまま、左右方向のフレ量（プリズム度数）を変更することにより、斜位のある被検者でも精度よく両眼バランス検査が行える。また、両眼バランス検査において、被検者の持つ斜位が、内斜位か外斜位かの傾向を把握し易くなる。また、左右方向のプリズムを同じ度数となるように変更することにより、左右眼でのプリズムの特性を起因とする視標９０の歪みや色味の違いを低減でき、精度の高い両眼バランス検査ができる。
【００３５】
なお、以上説明した本実施形態では、視標９０において、スリット９１の上下に複数の融像視標９４を配置したが、この構成に限るものではない。融像刺激となる上下の図形（印）が同じものであればよい。横長の直線や縦長の複数の直線であってもよい。また、融像視標９４ａ、９４ｂ、９４ｃは、スリット９２の水平方向の中心を基準とし、上下に等距離に配置されたが、これに限るものではない。左右眼での融像が可能であれば、融像視標９４が上下に等間隔の配置でなくてもよい。また、ロータリプリズム１６０による視標９０の上下への分離を、右眼を上方、左眼を下方としたが、これが逆であってもよい。
【００３６】
なお、以上説明した本実施形態では、被検者の左右眼に配置する基底方向が上下逆のプリズム（ここでは、ロータリプリズム１６０）を検眼装置本体６０の制御により配置する構成としたが、これに限るものではない。本実施形態で用いた視標呈示装置７０を使って、分散プリズムを手動で眼前に挿脱する手動式の検眼装置やテストフレーム等を用いる検査の場合でもよい。また、回転ディスク１６に、ロータリプリズム１６０を配置しない構成としてもよい。例えば、左右それぞれのレンズ室ユニット６２の回転ディスク１６に、分散プリズム２△を配置する。この分散プリズムは、左右眼の検査窓６１に配置された場合に、右眼では２△ＢＤ，左眼では２△ＢＵとなるようにしておく。検眼装置６０をこのような構成にして、前述の実施形態のように、被検者の左右眼に呈示する両眼バランス検査用視標を上下に分離させて、両眼バランス検査を行うことができる。なお、回転ディスク１６に度数の異なる分散プリズム、例えば、１．５△、２△、２．５△等を配置する構成としてもよい。
【図面の簡単な説明】
【００３７】
【図１】本実施形態の自覚式検眼装置を検者側から見た状態を示す外観略図である。
【図２】レンズ室ユニットの内部機構を示す概略図である。
【図３】ディスクに設けられた光学素子の回転機構を説明する図である。
【図４】コントローラ５の構成を示す図である。
【図５】モニタ８０の表示画面を示す図である。
【図６】本実施形態の検眼装置の制御ブロック図である。
【図７】両眼バランス検査用視標を示す図である。
【図８】両眼バランス調整ウインドウを示す図である。
【符号の説明】
【００３８】
６２  レンズ室ユニット
５  コントローラ
６０  検眼装置本体
７０  視標呈示装置
８０  モニタ
９０  両眼バランス検査用視標
９３  視標
９４  融像視標
１６０  ロータリプリズム
１６０ａ、１６０ｂ  ロータリプリズム
３００  両眼バランス調整ウインドウ
【図１】
2007296101.tif 000003
【図２】
2007296101.tif 000004
【図３】
2007296101.tif 000005
【図４】
2007296101.tif 000006
【図５】
2007296101.tif 000007
【図６】
2007296101.tif 000008
【図７】
2007296101.tif 000009
【図８】
2007296101.tif 000010